(57)【特許請求の範囲】
【請求項１】
相互に対向する第１及び第２の側面部と、相互に対向する天面部及び底面部と、相互に対向する開口部と、からなる缶容器用包装体であって、
前記天面部及び底面部の少なくとも何れか一方における前記開口に臨む位置には缶容器の上面及び下面の少なくとも何れか一方の窪みの側面に当接して缶容器を係止する舌片部が設けられ、
前記天面部及び底面部の少なくとも何れか一方において、前記舌片部における缶容器との当接部位の近傍には、外方から舌片部を押すための押込部であって、前記舌片部とは反対方向に折り曲げられると共に、折り曲げ後に開口となる押込部が設けられていることを特徴とする、缶容器用包装体。
【請求項２】
前記押込部は、前記窪みの側面の近傍に設けられていることを特徴とする、請求項１に記載の缶容器用包装体。
【請求項３】
前記押込部は、直線状の折曲線とこれに連結される曲折したミシン目とにより形成されていることを特徴とする、請求項１または２に記載の缶容器用包装体。
【請求項４】
前記押込み部は台形状であることを特徴とする、請求項１〜３の何れか一項に記載の缶容器用包装体。
【発明の詳細な説明】
【技術分野】
【０００１】
本発明は、缶容器用包装体に係り、特に、複数の缶容器を整列させて脱落しないように包装することができる缶容器用包装体に関する。
【背景技術】
【０００２】
従来から、複数の缶容器をまとめて包装する、いわゆるマルチパックと呼ばれる包装形態がある。このマルチパックは、例えば、酒類や清涼飲料水などの缶容器を複数本束ねて、これを包装体によって脱落しないように包装するものである。
【０００３】
このような缶容器用包装体の例としては、両側端部を開口した箱体の底板を内底と外底の二重底として構成し、天板及び内底と外底の両端に離脱防止用の舌片部を連続させ、この舌片部を天板及び底板の裏面に当接するよう折り曲げたものが開示されている（特許文献１参照）。この包装体は、底板を内底と外底の二重底として構成し、二枚の底板の両端部にそれぞれ離脱防止用の舌片部を連続させたので、缶底部の環状部形状がルーズに形成されている場合でも離脱防止用の舌片部が正確に缶を係止するものである。
【０００４】
また、包装箱の底面部に切起し片を設け、この切起し片を引き起こして缶容器の底面の窪みに当接させるものも開示されている（特許文献２参照）。この包装箱では、組み立て後に切起し片を外部から缶の窪みに向けて押し当てることが可能である。このため、切起し片と缶容器との係止状態を外部から確認できると共に、係止状態が不適切な場合には事後的に外部から係止状態を適切に修正することができる。
【０００５】
【特許文献１】特開平７−２５７６３６号
【特許文献２】実開昭６０−２４７６５号
【発明の開示】
【発明が解決しようとする課題】
【０００６】
しかしながら、上記各特許文献に開示されている発明には、それぞれ問題点があった。すなわち、特許文献１の発明では、一旦缶容器を包装してしまうと、外部から舌片部へ力を加えることができなくなる。このため、舌片部が缶容器の上面のタブなどに接触して適切に缶容器を係止できていない場合でも、これを修正することは困難である。
【０００７】
また、特許文献２の発明では、包装後の切起し片と缶容器との係止状態を修正することは可能であるが、当該文献の切起し片は、図３に示すように、缶容器を係止するのに包装箱の底面に対して僅かしか折り曲げられていない。このため、包装箱の材料によって生じる弾性力は小さく、振動などによって切起し片が缶容器の底から外れてしまうことも考えられる。また、当該文献では、切起し片が底面側にしか設けられておらず、缶容器の上部がずれて缶容器が傾いた場合には、切起し片が缶容器の底から外れてしまう可能性もある。
【課題を解決するための手段】
【０００８】
本発明は、上記課題に鑑みてなされたものであって、缶容器を確実に係止することができる缶容器用包装体を提供することを目的とする。本発明は、上記目的を達成するために、相互に対向する第１及び第２の側面部と、相互に対向する天面部及び底面部と、相互に対向する開口部と、からなる缶容器用包装体であって、前記天面部及び底面部の少なくとも何れか一方における前記開口に臨む位置には缶容器の上面及び下面の少なくとも何れか一方の窪みの側面に当接して缶容器を係止する舌片部が設けられ、前記天面部及び底面部の少なくとも何れか一方における前記舌片部に対応する位置には、前記缶容器用包装体の内部に向かって押込み可能な押込部が設けられている、という構成を採っている。
【０００９】
このような構成を採ることで、缶容器用包装体を組み立てて缶容器を包装した場合に、舌片部が缶容器の窪みの側面に当接して、缶容器を係止して脱落を防止することができる。加えて、舌片部の係止状態が適切でない場合でも、押込部を内部に侵入させることによって舌片部を適切に缶容器に当接させることができる。このため、タブなどが邪魔になって舌片部が缶容器を適切に係止していない場合でも、包装後に係止状態を修正することができるようになる。また、押込部を内部に侵入させることによって形成される穴を通して、舌片部と缶容器との係止状態が確認できる。
【００１０】
また、前記押込部は、前記窪みの側面の近傍に設けられている、という構成を採っている。
【００１１】
また、前記押込部は、直線状の折曲線とこれに連結される曲折したミシン目とにより形成されている、という構成を採っている。
【００１２】
また、前記押込み部は台形状である、という構成を採っている。
【００１３】
更に、相互に対向する第１及び第２の側面部と、相互に対向する天面部及び底面部と、相互に対向する開口部と、からなる缶容器用包装体であって、前記天面部及び底面部の少なくとも何れか一方における、缶容器の上面及び下面の少なくとも何れか一方の窪みの側面に対応する位置には、前記缶容器用包装体の内部に向かって押込み可能で且つ前記窪みの側面に当接して缶容器を係止する押込部が設けられている、という構成を採っている。
【発明を実施するための最良の形態】
【００１４】
［全体概要］
次に、図面を参照しながら本発明の一実施形態について説明する。本実施形態は、一列に配列された３本の缶容器を包装できるものであり、図１は、本実施形態の缶容器用包装体１の展開図である。この展開図から明らかなように、缶容器用包装体１は、第１の側面部１１と、天面部３１と、第２の側面部２１と、底面部４１とが順に連なった状態となっている。そして、底面部４１には更に、第１の側面部１１と接着される接着面部６１が連接されている。各側面部１１，２１と天面部３１及び底面部４１並びに接着面部６１との境界は折曲線Ｌ１となっている。
【００１５】
また、天面部３１及び底面部４１の両端には、例えば半円状の舌片部３３，４３が連結されている。そして、天面部３１及び底面部４１に連結された舌片部３３，４３の近傍には、それぞれ押込部３５，４５が設けられている。更に、第１の側面部１１には当該缶容器用包装体１を開封する際に破り取るための開封部１３が形成されている。
【００１６】
尚、本実施形態において、各側面部１１，２１、天面部３１、底面部４１、接着面部６１および舌片部３３，４３は、一枚の紙から切り抜かれて一体的に形成されている。しかし、本発明はこれに限定されるものではなく、それぞれの部分を個別に製作して事後的に連結してもよい。
【００１７】
［第１の側面部］
第１の側面部１１は、缶容器用包装体１が箱状に組み立てられた場合に、側面の一つになる部分である。第１の側面部１１の形状は矩形であり、その寸法は図１に示すように、Ｗ×Hである。ここで、Ｗは缶容器用包装体１が組み立てられた場合の幅に相当する寸法であり、本実施形態では缶容器の直径の２倍程度の長さとなっている。これは、３本の缶容器のうち両端の２本の缶容器が略半径分それぞれ露出するように構成されているからである。尚、第１の側面部の形状は矩形に限定されるものではない。例えば、台形のような形状であってもよいし、上端部と下端部の幅が広く且つ中間部の幅が狭いくびれ部を有するような形状であってもよい。
【００１８】
一方、Ｈは缶容器用包装体１が組み立てられた場合の高さに相当する寸法であり、本実施形態では缶容器の高さに相当する長さとなっている。また、第１の側面部１１に形成された開封部１３は、複数のくの字状の切断線から形成される２組のミシン目であり、第１の側面部１１の幅Ｗの方向に沿って形成されている。また、開封部１３の所定個所には、２組のミシン目を横断する切断線１５が形成されている。これは、最初に指を入れて切断を開始するためのものである。尚、開封部１３は本発明に必須なものではなく、必ずしも設ける必要はない。一方、本実施形態では、開封部１３を第１の側面部１１にのみ設けているが、本発明はこれに限定されるものではなく、第２の側面部２１にも設けるようにしてもよい。
【００１９】
［第２の側面部］
第２の側面部２１は、第１の側面部１１と基本的な形状や構造が略同一である。但し、上記したように、本実施形態の第２の側面部２１には開封部１３は形成されていない。
【００２０】
［天面部］
次に、天面部３１について説明する。天面部３１は缶容器用包装体１が組み立てられた場合に上面になる部分であり、その形状は矩形であって寸法はＷ×Ｄである。寸法Ｄは缶容器の直径に相当する長さである。これは、上記したように、一列に整列された缶容器を包装するからである。
【００２１】
また、天面部３１の両端部（図１における左右両端）には、半円状の舌片部３３が設けられている。この舌片部３３は、缶容器用包装体１が組み立てられた際に、内側に折り曲げられて缶容器の上面の窪みの側面に当接するものである。このため、舌片部３３の曲率は缶容器の窪みの側面の曲率とほぼ同じに形成されている。また、舌片部３３の寸法は、舌片部３３が折曲線Ｌ２を境に折り曲げられた場合に、先端部が缶容器の窪みの側面に接触するような値に設定されている。尚、舌片部３３の上記形状（半円状）はあくまでも一例であり、他の形状の舌片部を用いるようにしてもよい。例えば、楕円形や四角形、台形であってもよい。四角形や台形を採用する場合には、缶の窪みの側面との接触部位に丸みをつけるようにしてもよい。
【００２２】
また、天面部３１における各舌片部３３の近傍には、略半円状の押込部３５が形成されている。この押込部３５は、缶容器を収容して舌片部３３で係止する場合に、舌片部３３の係止状態をより確実にするために外方から舌片部３３を押すためのものである。このため、押込部３５は舌片部３３が内部に折り曲げられた場合に、この舌片部３３と重なるような位置に形成されている。より望ましくは、舌片部３３が形成する半円の中心付近であって、舌片部３３の先端部に対応する位置付近に形成する。
【００２３】
押込部３５は、直線部分３５ｂが折曲線となっており、一方曲線部分３５ａはミシン目となっている。このため、缶容器用包装体１を組み立てた後に押込部３５を内部に向かって押し込むと、曲線部分３５ａが破れると共に直線部分３５ｂで折れ曲がる。このため、略半円状の押込部３５が内部に傾斜して侵入することとなる。尚、上記した「曲線部分」という語句は、直線と直線とを組み合わせた折れ線や、直線と円弧とを組み合わせたようなものも含む趣旨である。また、「曲折した」という語句も直線と直線とを組み合わせた折れ線や、直線と円弧とを組み合わせたようなものも含む趣旨である。直線と円弧を組み合わせたものの例としては、台形の角を丸めたような形状である。
【００２４】
尚、押込部３５の形状は一例であって半円形に限定されるものではない。例えば、楕円形や単純な矩形状であっても良いし、台形その他の多角形であってもよい。また、本実施形態では、各舌片部３３に対して１つの押込部３５が形成されているが、本発明はこれに限定されるものではなく、それぞれの舌片部３３に対して２つ以上設けるようにしてもよい。
【００２５】
［底面部］
底面部４１は、天面部３１と基本的な形状や構造が略同一である。但し、底面部４１の両端に連結されている舌片部４３は、天面部３１に連結されているものよりも小さな半径の舌片部である。これは、包装する缶容器における下面の窪みの側面は、上面の側面よりも小さな曲率半径を有しているからである。但し、これは本実施形態に特有なものであって、窪みの側面の曲率半径が上面及び下面で同一であれば、各舌片部３３，４３の寸法も同じでよい。尚、舌片部および押込部は、天面部３１及び底面部４１の両方に設ける必要はなく、天面部３１及び底面部４１の少なくとも何れか一方にのみ形成するようにしてもよい。但し、天面部３１および底面部４１の両方に設けることで、缶容器をより安定的に係止することが可能である。
【００２６】
［接着面部］
接着面部６１は、底面部４１に連接された細長い台形状の部分であり、この接着面部６１に接着剤が塗布されて、第１の側面部１１に接着されるようになっている。本実施形態の接着面部６１は、第１の側面部１１および底面部４１と同じ幅Ｗを有しているが、本発明はこれに限定されるものではない。すなわち、幅Ｗよりも狭い寸法の接着面部を設けるようにしても良いし、またその形状も台形ではなく、単純な矩形形状であってもよい。
【００２７】
［組立状態］
次に、図２に基づいて、本実施形態の缶容器用包装体１の組立状態について説明する。図２に示すように、缶容器用包装体１が組み立てられると、略六面体状の包装箱となる。すなわち、第１の側面部１１と第２の側面部２１とが対向する位置となるように組み立てられ、同様に天面部３１と底面部４１とが対向する位置となるように組み立てられる。そして、六面体状の包装箱における側面部の内、上記した第１および第２の側面部１１，２１以外の部分は開口部５１となっている。また、天面部３１及び底面部４１における、開口部５１に臨む位置には舌片部３３，４３が設けられており、内部に向けて折り曲げることで、缶容器を係止できるようになる。
【００２８】
［係止状態］
次に、図３及び図４に基づいて、缶容器Ｃを係止した状態を説明する。ここで、図３及び図４は、説明の便宜のために缶容器用包装体１と缶容器Ｃとを断面とした図である。缶容器用包装体１に缶容器Ｃが包装された状態では、缶容器Ｃの上面に位置する舌片部３３が缶容器Ｃの窪みの側面Ｃ１に当接している。このとき、舌片部３３の曲率は缶容器Ｃの窪みの側面Ｃ１の曲率とほぼ同じ値に設定されているため、窪みの側面Ｃ１においてほぼ半円に相当する範囲で相互に当接している。このような状態において、仮に両端部の缶容器Ｃに対して、缶容器用包装体１から脱落する方向に力が加わったとしても、舌片部３３が缶容器Ｃを係止しており容易には外れないため、缶容器Ｃは安定的に保持される。特に、本実施形態の舌片部３３は天面部３１に対して折り曲げられており、元の状態に復帰しようとする復元力によって、舌片部３３が缶容器Ｃの上面に確実に当接するようになっている。このため、振動などが加わった場合でも、舌片部３３が缶容器Ｃから外れることはない。
【００２９】
ところで、缶容器Ｃの上面には開封用のタブ（図示略）などが取り付けられており、表面は平坦ではない。例えば、舌片部３３が缶容器Ｃに接触する位置にタブなどが存在する場合、舌片部３３が缶容器Ｃの上面や窪みの側面Ｃ１に適切に当接しない場合もある。すなわち、舌片部３３が缶容器Ｃの上面から浮いてしまい、缶容器Ｃの窪みの側面Ｃ１から外れやすくなってしまうのである。
【００３０】
しかし、本実施形態では、舌片部３３の他に押込部３５が設けられていることで、缶容器を回転させてタブの位置をずらした上で、押込部を押込めば以下のように係止状態を確実にすることができる。すなわち、図３及び図４に示すように、舌片部３３における缶容器Ｃとの当接部位の近傍には、押込部３５が形成されている。この押込部３５は、半円状のミシン目と直線状の折曲線によって形成されており、外部から押し込むことで、略半円状の押込部３５を内部に向かって侵入させることができる。
【００３１】
押込部３５が侵入する位置は舌片部３３の先端部（缶容器Ｃの上面と当接する部位）であり、押込部３５を押し込むことで、同時に舌片部３３を缶容器Ｃの上面に向けて押し下げることができるようになる。このように、押込部３５を設けることで、仮に舌片部３３が適切に缶容器Ｃを係止していない場合でも、包装後に係止状態を適切に修正することが可能となる。また、押込部３５は開口となるため、この押込部３５を通して舌片部３３と缶容器Ｃとの係止状態を視認することが可能となる。尚、押込部３５は直線部分（折曲線）３５ｂ（図１参照）によって缶容器用包装体１と連結状態を維持しているので、押込部３５を押し込んだ場合でもゴミとして散乱することはない。
【００３２】
尚、本実施形態の押込部の形状は半円状であるが、上記したように矩形状や台形状であってもよい。これら矩形状や台形状にした場合には、以下のような特別の効果を奏する。すなわち、押込部の高さ（直線部分３５ｂに対して垂直な方向の寸法）を、缶容器の窪みの側面のうち最も遠い位置に接触するような値に設定すれば、押込部３５と缶容器Ｃとの間に大きな摩擦力を発生させることができる。その理由は、押込部３５を押し下げる際に、矩形や台形の角部は缶の上端縁に接触してそのままでは缶容器の窪みに収まらない。しかし、更に強い力で押込部３５を押し下げると、押込部３５の角部が変形しながら缶容器の側面に接触することとなる。そして、押込部３５と缶容器Ｃの窪みの側面とは大きな接触面積を持つこととなる。このように、接触面積が大きくなることで、大きな摩擦力が発生するのである。ただし、矩形や台形の角部はミシン目に沿って押込部３５を切る際に、予定外の部分でのちぎれが発生してしまうことも考えられるので、これを防止するために、角部には丸みをつけることが望ましい。また、押込部３５が台形状の場合、矩形の場合と比べて角部が鈍角となり、ちぎれの発生が抑制されるので、台形状の方がより望ましい。
【００３３】
押込部３５と缶容器Ｃとの間に大きな摩擦力が発生している場合には、缶の回転や移動が抑制されるため、輸送時などにおいて、缶容器Ｃと缶容器用包装体１との擦れによる紙粉の発生や、缶同士の擦れによる印刷擦れの発生を防止でき、更には、店頭で缶容器の外観の見せたい部分を予め外側に向けておけば、缶容器の回転が生じないため販売促進の効果にもつながる。
【００３４】
また、缶容器Ｃの底面についても上記と同様である。すなわち、缶容器Ｃの底面にも所定の窪みが形成されている。そして、この窪みの側面（正確には、僅かに傾斜した傾斜面）に舌片部４３が当接して、缶容器Ｃを缶容器用包装体１に係止することができる。また、缶容器用包装体１の底面部にも押込部４５が形成されているため、天面部３１の場合と同様に、舌片部４３の係止状態を適切に修正することが可能である。但し、上記したように、舌片部と押込部とを天面部３１と底面部４１の両方に設けることは、本発明にとって必須な事項ではない。すなわち、天面部３１と底面部４１の少なくとも何れか一方に設けられていれば、缶容器を係止することは可能である。
【００３５】
［第２の実施形態］
次に、図５に基づいて、本発明の第２の実施形態について説明する。当該実施形態は、第１の実施形態との比較において、舌片部３３，４３が省略されている点が異なっている。すなわち、押込部３５Ａ，４５Ａのみによって缶容器Ｃを保持している。このため、押込部３５Ａ，４５Ａが内部に向かって押し込まれると、押込部３５Ａ，４５Ａの先端が缶容器Ｃの上面と窪みの側面Ｃ１に当接する。缶容器Ｃの下面も同様である。これにより、舌片部を用いた場合と同様に缶容器Ｃを係止することができる。
【００３６】
このように、押込部３５Ａ，４５Ａのみによって缶容器Ｃを係止する場合には、以下のような理由によって缶容器用包装体１ａを製造する際の必要材料を低減することができる。すなわち、図１に示すように、舌片部３３，４３も一体的に製造する場合には、幅Ｗに加えて舌片部の幅２つ分を加えた幅の紙を用いる必要がある。一方、舌片部を形成しない場合には、幅Ｗの紙を用いることができる。このように、舌片部を設けなければ、幅Ｗの長方形の紙を用いることができ、無駄になる部分を無くすことが可能となる。尚、押込部を、天面部３１と底面部４１の少なくとも何れか一方に設ければ良い点は、第１の実施形態と同様である。
【００３７】
[その他の変形例]
以上は、３本の缶容器を一列に配列した場合の説明であるが、本発明はこれに限定されるものではない。例えば３本が一列に配列された缶容器を同時に二列、すなわち６本の缶容器を収納するような缶容器用包装体にも適用できる。その際には、天面部及び底面部の奥行きを缶容器の直径の２倍に広げる必要がある。そして、缶容器用包装体から露出する４本の缶容器のために、天面部および底面部に合計４組の舌片部と押込部を形成するか、あるいは４つの押込部を設ければよい。尚、舌片部と押込部とを、天面部３１と底面部４１の少なくとも何れか一方に設ければ良い点は、第１及び第２の実施形態と同様である。
【産業上の利用可能性】
【００３８】
本発明は、缶容器を包装するための包装体に利用することが可能である。
【図面の簡単な説明】
【００３９】
【図１】本発明の第１の実施形態に係る缶容器用包装体の展開図を示す。
【図２】図１に開示した缶容器用包装体を組み立てた状態を示す斜視図である。
【図３】缶容器を包装した状態の缶容器用包装体の断面図を示す。
【図４】缶容器を包装した状態の缶容器用包装体の断面斜視図を示す。
【図５】本発明の第２の実施形態に係る缶容器用包装体であって、缶容器を包装した状態の断面図を示す。
【符号の説明】
【００４０】
１、１ａ  缶容器用包装体
１１  第１の側面部
２１  第２の側面部
３１  天面部
３３  舌片部
３５，３５Ａ  押込部
４１  底面部
４３  舌片部
４５，４５Ａ  押込部
６１  接着面部
Ｃ  缶容器
Ｃ１  側面
Ｌ１，Ｌ２  折曲線
【図１】
0005554903.tif 000002
【図２】
0005554903.tif 000003
【図３】
0005554903.tif 000004
【図４】
0005554903.tif 000005
【図５】
0005554903.tif 000006